【事件の表示】
　特許第３２０４８４９号「散布機のスロットルケーブル支持構造」の請求項１に係る特許に対する特許異議の申立てについて、次のとおり決定する。
【結　論】
　訂正を認める。
　特許第３２０４８４９号の請求項１に係る特許を維持する。
【理　由】
１．手続きの経緯
　特許第３２０４８４９号の請求項１に係る発明についての出願は、平成６年８月２４日に特許出願され、平成１３年６月２９日にその特許権の設定登録がなされ、その後、株式会社　共立　により特許異議の申立がなされ、取消しの理由が通知され、その指定期間内である平成１５年７月１日に訂正請求がなされたものである。
２．訂正の適否についての判断
（１）訂正の内容
　特許権者が求めている訂正の内容は以下のａ〜ｃのとおりである。
ア．訂正事項ａ
　特許請求の範囲の記載
「【請求項１】　エンジンにより送風機を駆動し、この送風機により発生する風力により散布剤タンク内の散布剤を散布管を介して散布する散布機において、それぞれ一面が開口された一対の分割カバーを対向させて結合することにより内部にスロットルレバーを回動自在に収容する空間部が形成された把手を前記散布管の外周の一部に設け、屈撓自在のアウターケーブルに挿通されて一端が前記エンジンのスロットルに止着され他端が前記スロットルレバーに止着されたスロットルケーブルを設け、前記一対の分割カバーの内面に前記アウターケーブルの他端側の外周面を挾持する挾持部を形成し、この挾持部又は前記アウターケーブルの他端側の外周面に一つの突部又は前記アウターケーブルの長手方向に沿って配列された複数の突部を設け、前記アウターケーブルの他端側の外周面又は前記挾持部に前記突部が選択的に係止される複数の溝を前記アウターケーブルの長手方向に沿って配列して形成したことを特徴とする散布機のスロットルケーブル支持構造。」
を、
「【請求項１】　エンジンにより送風機を駆動し、この送風機により発生する風力により散布剤タンク内の散布剤を散布管を介して散布する散布機において、それぞれ一面が開口された一対の分割カバーを対向させて結合することにより内部にスロットルレバーを回動自在に収容する空間部が形成された把手を前記散布管の外周の一部に設け、
一方の前記分割カバーに前記スロットルレバーを回動自在に設け、
前記一方の分割カバーに形成された前記
前記一方の分割カバーに形成された
と訂正する。
イ．訂正事項ｂ
　明細書の段落番号【０００５】の記載
「【０００５】
　　【課題を解決するための手段】
　本発明は、エンジンにより送風機を駆動し、この送風機により発生する風力により散布剤タンク内の散布剤を散布管を介して散布する散布機において、それぞれ一面が開口された一対の分割カバーを対向させて結合することにより内部にスロットルレバーを回動自在に収容する空間部が形成された把手を前記散布管の外周の一部に設け、屈撓自在のアウターケーブルに挿通されて一端が前記エンジンのスロットルに止着され他端が前記スロットルレバーに止着されたスロットルケーブルを設け、前記一対の分割カバーの内面に前記アウターケーブルの他端側の外周面を挾持する挾持部を形成し、この挾持部又は前記アウターケーブルの他端側の外周面に一つの突部又は前記アウターケーブルの長手方向に沿って配列された複数の突部を設け、前記アウターケーブルの他端側の外周面又は前記挾持部に前記突部が選択的に係止される複数の溝を前記アウターケーブルの長手方向に沿って配列して形成した散布機のスロットルケーブル支持構造である。」
を
「【０００５】
　　【課題を解決するための手段】
　本発明は、エンジンにより送風機を駆動し、この送風機により発生する風力により散布剤タンク内の散布剤を散布管を介して散布する散布機において、それぞれ一面が開口された一対の分割カバーを対向させて結合することにより内部にスロットルレバーを回動自在に収容する空間部が形成された把手を前記散布管の外周の一部に設け、
一方の前記分割カバーに前記スロットルレバーを回動自在に設け、
前記一方の分割カバーに形成された前記
前記一方の分割カバーに形成された
と訂正する。
ウ．訂正事項ｃ
　明細書の段落番号【００１２】の記載
「【００１２】
　　【発明の効果】
　本発明は、散布機の散布管に設ける把手を形成する一対の分割カバーの内面にスロットルケーブルを被覆するアウターケーブルを挾持する挾持部を形成し、この挾持部又は前記アウターケーブルの他端側の外周面に一つの突部又は前記アウターケーブルの長手方向に沿って配列された複数の突部を設け、前記アウターケーブルの他端側の外周面又は前記挾持部に前記突部が選択的に係止される複数の溝を前記アウターケーブルの長手方向に沿って配列して形成したので、分割カバーの内面に形成された挾持部とアウターケーブルの他端側との対向面に形成した溝と突部とを選択的に係止するだけの極めて容易な作業で、把手に対するアウターケーブルの他端側の取付位置を調整することができ、また、分割カバーを結合することにより、分割カバーの内面に形成した挾持部でアウターケーブルを挾持することにより、把手の内部においてアウターケーブルの他端側を固定することができる。」
を、
「【００１２】
　　【発明の効果】
　本発明は、散布機の散布管に設ける把手を形成する一対の分割カバーの内面にスロットルケーブルを被覆するアウターケーブルを挾持する挾持部を形成し、
スロットルレバーが回動自在に設けられた一方の前記分割カバーに形成された前記
前記一方の分割カバーに形成された
と訂正する。
　訂正請求書の請求の理由の訂正事項には、「訂正事項ａ」しか記載されていないが、訂正請求書に添付の訂正明細書の記載より上記のように判断した。なお、訂正された字句に下線を付している。
（２）訂正の目的の適否、新規事項の有無、及び特許請求の範囲の拡張・変更の存否
　上記訂正事項ａはスロットルレバーを設ける対象を限定し具体化するものであり、特許明細書の段落【０００７】の記載及び【図１】から把握される事項であるから、特許請求の範囲の減縮を目的とした明細書の訂正に該当し、また、上記訂正事項ｂ及び訂正事項ｃは、上記訂正事項ａと整合を図るものであるから、明りょうでない記載の釈明を目的とした明細書の訂正に該当し、いずれも、新規事項の追加に該当せず、実質的に特許請求の範囲を拡張又は変更するものではない。
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
３．特許異議の申立てについて
（１）申立ての理由の概要
　特許異議申立人　株式会社　共立　は、
甲第１号証：実公昭６１−２７６６８号公報
甲第２号証：実願平２−４８３７６号（実開平４−９６７０号）のマイクロフイルム
甲第３号証：実公昭６１−３３８６３号公報
甲第４号証：実公平２−１５３０号公報
甲第５号証：実願昭５７−３０５０９号（実開昭５９−１０５１８号）のマイクロフイルム
を提出して、特許第３２０４８４９号の請求項１に係る発明は、本件出願前に日本国内において頒布された刊行物に記載された発明に基づいてその発明の属する技術の分野における通常の知識を有する者が容易に発明をすることができたものであるから、請求項１に係る発明についての特許は特許法第２９条第２項の規定に違反してされたものであるから、請求項１に係る発明についての特許は拒絶の査定をしなければならない特許出願に対してされたものであるから、特許を取り消すべき旨主張している。
（２）請求項１に係る発明
　本件特許第３２０４８４９号の請求項１に係る発明（以下、「本件発明」という。）は、訂正明細書の特許請求の範囲の請求項１に記載された事項により特定される以下のとおりのものである。
「【請求項１】　エンジンにより送風機を駆動し、この送風機により発生する風力により散布剤タンク内の散布剤を散布管を介して散布する散布機において、それぞれ一面が開口された一対の分割カバーを対向させて結合することにより内部にスロットルレバーを回動自在に収容する空間部が形成された把手を前記散布管の外周の一部に設け、一方の前記分割カバーに前記スロットルレバーを回動自在に設け、屈撓自在のアウターケーブルに挿通されて一端が前記エンジンのスロットルに止着され他端が前記スロットルレバーに止着されたスロットルケーブルを設け、前記一対の分割カバーの内面に前記アウターケーブルの他端側の外周面を挾持する挾持部を形成し、前記一方の分割カバーに形成された前記挾持部又は前記アウターケーブルの他端側の外周面に一つの突部又は前記アウターケーブルの長手方向に沿って配列された複数の突部を設け、前記アウターケーブルの他端側の外周面又は前記一方の分割カバーに形成された前記挾持部に前記突部が選択的に係止される複数の溝を前記アウターケーブルの長手方向に沿って配列して形成したことを特徴とする散布機のスロットルケーブル支持構造。」
（３）甲各号証の記載事項
　甲第１号証（当審が通知した取消の理由に引用した刊行物１）には、以下の事項が記載されている。
１−ア．「本考案は薬剤タンク内の液体または粉粒状の薬剤をファンの送風中に混入して散布するための薬剤散布機に係るものである。」（第１欄第８〜１０行。）
１−イ．「以下、図面により本考案の１実施例について詳細な説明を行なう。
　第１図〜第３図において、１は薬剤散布機を示すもので、つぎのように構成されている。すなわち、３はエンジン５によって回転するファン（図示せず）を内蔵するファンケースで、上部に薬剤タンク７が固着され支持枠９に支持されている。１１は支持枠９に固着された背当てで、作業者の背中にあてて、背負いバンド（図示せず）によってファンケース３等を背負うものである。１３はシリンダー、１５は気化器、１７はリコイルスターター、１８はマフラーである。１９はファン（図示せず）の送風を案内する送風路で、可撓管２１を介して送風管２３が接続されている。送風管２３は格納、搬送に便利とするため複数個に分割可能に接続され、先端に噴出口２５を備えている。２７は薬剤タンク７内の薬液を送風路１９中の送風に混入するための薬剤供給管で、調節弁２９が設けられている。３１は送風管２３に固着して設けた握り部、３３は握り部３１に揺動自在に枢着されたスロットルレバー、３５はスロットルレバー３３の端部に係止されたスロットルワイヤーで、他端は気化器１５内のスロットル弁（図示せず）に連動して、エンジンに供給する燃料を調節するものである。３７はスロットルワイヤー３５の可撓外管である。３９はスロットルレバー３３を散布作業に適した所定の回転速度位置に係脱自在に係止するためのストッパー、４１はエンジン１を電気的に停止せしめるための押ボタンである。」（第２欄第３行〜第３欄第３行。）
　甲第２号証には、以下の事項が記載されている。
２−ア．「本考案は薬剤散布機や送風掃除機等の噴管支持ハンドルに関する。」（第２頁第３，４行。）
２−イ．「第１図に示すように送風機の吐出口（図示せず）に接続された噴管１の外周面に噴管支持ハンドル２の円筒状取付部分３が巻付けられて軸線方向へ摺動可能に嵌着されており、」（第４頁第２〜６行。）
２−ウ．「更に、前記噴管支持ハンドル２の取付部分３は前記割溝部６の両側に上方へ延びるフランジ部分７及び８をそれぞれ一体に形成しており、両フランジ部分７及び８は、それらの内側面９及び１０から互いの方へ同軸状に延びる中空の軸部分１１及び１２を一体に形成している。これ等の軸部分１１及び１２はそれらの内方端の間に適当な間隔をもって離間しており、両軸部分１１及び１２の外周面には前記噴管支持ハンドル２の握り部分１３を前記噴管１の軸線を含む平面内で枢動可能に支持している。該握り部分１３は適度の弾性を有する合成樹脂材料で二つ割り形に作られ、その両側の外側面１４及び１５は前記取付部分３の左右のフランジ部分７及び８の内側面９及び１０にそれぞれ近接して配置され、前記両フランジ部分７，８の内側面９，１０及び前記握り部分１３の左右両外側面１４，１５には菊座面１６がそれぞれ形成されている。」（第５頁第５行〜第６頁第２行。）
２−エ．「前記ボーデンケーブル２８はそれから噴管１に沿って後方へ伸び、更に前記噴管支持ハンドル２の握り部分１３の内部を通ってその先端部に枢動自在に設けられたトリガ部材２９の内端部に連結されている。前記トリガ部材２９の外端部は前記握り部分１３から外方へ突出しており、操作者が作業中にトリガ部材２９を絞ることによってボーデンケーブル２８を引張り、それによりノズル部材２１，２２を第３図の最小開口位置の方へ枢動させて噴管１から噴出する送風の勢力を調整することができるようになっている。」（第８頁第２〜１２行。）
２−オ．「なお、トリガ部材２９は、この他にも原動機のスロツトル制卸等、他の目的にも利用できることは、いうまでもない。」（第８頁第１３〜１５行。）
　甲第３号証には、以下の事項が記載されている。
３−ア．「この考案は刈払機用グリップに関し、さらに詳しくは，操作杆を中心として２つ割り構成とし、スロットルレバーの取付け座を介してスロットルレバーも備える刈払機用グリップに関する。」（第１欄第１４〜１７行。）
３−イ．「操作杆１のエンジン寄りの端部には、グリップ１０が取付けられており、作業者がそのグリップを握って作業を行い得るようになっている。
　このグリップ１０はポリプロピレンなどのプラスチツク製であって、操作杆１の長さ方向に沿った２つ割となったグリップ片１１，１１によって形成されていて、グリップ片１１の外周は握り易いようなグリップ面１１ａになっており、各グリップ片１１は内部に操作杆１を収容できる貫通した状態の空間１２をもち、両端部寄りに２個所宛グリップ片１１を締着するための締着座１３が形成されている。この締着座１３にはビス孔１３ａが穿けられていて、一対のグリップ片１１をビスにより互に締着結合できるようになっている。」（第２欄第２５行〜第３欄第１０行。）
３−ウ．「さらに、グリップ片１１の刈刃寄りの端部は締着座１３より先が操作杆１の長さ方向に沿って延出していると共に、その延出部１４にはグリップ片１１の一側方向に張出したスロットルレバーの取付座１５が形成されている。
　この取付座１５には全体としてＬ型をしているスロットルレバー１６が枢着されており、このスロットルレバー１６の一端部は作業者が握る操作端１６ａで、他端部はワイヤ１７の係止端１６ｂになつている。
　また、グリップ片１１のエンジン寄りの端部の締着座１３にはワイヤ１７の保護チューブ１７ａを通す凹溝１８が形成されており、グリップ片１１を２つ合せにした状態では凹溝１８，１８による挿通孔が形成されるようになっている。」（第３欄第１１〜第２５行。）
　甲第４号証には、以下の事項が記載されている。
４−ア．「本考案は自動車・農業機械等に遠隔操作用として配設されるコントロールケーブルにおいて、別個の２本のコントロールケーブルを一体に連結して１本のコントロールケーブルとする連結装置に関する。」（第１欄第１９〜２３行。）
４−イ．「本考案を図面によって説明すると、連結装置Ａは第１図、第２図のように、第１及び第２のコントロールケーブル１１，１２は第１及び第２のアウタケーシング２１，２２を持ち、該アウタケーシング２１，２２の端末に係止するケーシングキヤツプ３は鍔３１が設けられている。
　該アウタケーシング２１，２２の内孔を摺動可能に挿通している第１と第２のインナケーブル４１，４２の各端末に連結されている連結子５１，５２は同形で、略円筒体の先端には横軸方向に係止溝５１１，５２１を刻設して、先端は係止突条５１２，５２２とされ、相互の係止溝５１１，５２１と係止突条５１２．５２２を互いに嵌め込むように噛み合わせて連結するようにされている。」（第３欄第４３行〜第４欄第１２行。）
４−ウ．「弾性に富む合成樹脂よりなる接続筒６は第２図の様に、内孔６１とその両側端末部の内孔周壁に環状の凹溝６２，６３を刻設し、該筒体は縦方向に不均等な２つ割にして大割体部６４と小割体部６５とされ、大割体部６４は筒体外周のほぼ２／３の大きさを占めさせ、残余を小割体部６５としている。
　両割体部の一方の側縁は、蝶番の働きが可能な薄弾膜６６によって両割体が開閉可能に連結されており、他端部は係止縁６７として一方の係止縁６７には孫止孔６８、他方には係止孔６９が突設されている。」（第４欄第１３〜２４行。）
４−エ．「この接続筒６の両割体を開き、大割体部６４の凹溝６２，６３に第１及び第２のコントロールケーブル１１，１２のケーシングキヤツプ３の鍔３１を嵌合着させる。凹溝６２，６３の溝巾は鍔３１の厚さとほぼ等しくされており、嵌着されるケーシングキヤツプ３は縦方向の動きを止められるようにされている。同時に鍔３１は２／３の外周長を占める凹溝６２，６３の両縁部に抱持されるので簡単に外れない嵌合となる。
　次いで、内孔６１内で第１及び第２のインナケーブル４１，４２の端末に固着された連結子５１，５２は相互の係止溝５１１，５２１と係止突起５１２，５２２を互いに嵌め込むように噛み合せて接続する。
　その後、小割体部６５を大割体部６４に重ね合わせて閉じ、係止孔６８と係止爪６９を嵌合係止させると、第１と第２のインナケーブル１１，１２の連結された連結子５１，５２は内孔６１内に摺動可能に内抱持され、第１及び第２のアウタケーシング２１，２２はケーシングキヤツプ３の鰐３１が凹溝６２，６３に嵌合固着されるので、第１及び第２のコントロールケーブル１１，１２は接続筒６により連結されて１本のコントロールケーブルとして押引の操作が可能となる。」（第４欄第２５行〜第５欄第４行。）
　甲第５号証には、以下の事項が記載されている。
５−ア．「本考案は、運搬車におけるアクセルワイヤー等として用いられているレリイズワイヤーのアウターワイヤー端部を取付けるための構造で、詳しくは、レリイズワイヤーのアウターワイヤー端部に固定装着され、かつ、その軸芯に沿った方向から固定部材にその先端が貫通する状態に差込まれた端部金具を軸芯方向で抜止め固定することにより、アウターワイヤー端部を取付ける構造に関する。」（第２頁第１０〜１８行。）
５−イ．「第３図に示すように、前記運転席（３）の足元部に設けたアクセルペダル（１０）とエンジン調速装置（図外）とを連動させるレリイズワイヤー利用のアクセルワイヤー（１１）におけるアウターワイヤー（１１Ａ）のアクセルペダル（１０）側の端部は、次のようにして、板状固定部材（１２）に取付けられている。
　つまり、アウターワイヤー（１１Ａ）端部は、板状固定部材（１２）に、前記アウターワイヤー（１１Ａ）端部に固定装着させた端部金具（１３）をその袖芯方向からその先端が貫通する状態に差込ませる穴（１２Ａ）を形成するとともに、前記の状態に差込まれた端部金具（１３）を軸芯方向で抜止め固定する一対の部材（１４）・（１４′）を設けて、固定部材（１２）に位置固定状態に取付けられている。」（第５頁第４〜１８行。）
５−ウ．「前記抜止め部材（１４）・（１４′）のうち、端部金具（１３）の基端側への移動を阻止する側の部材（１４）は、軸芯方向に対して直交する方向から端部金具（１３）に弾性装着可能で、かつ、装着状態において端部金具（１３）に形成の係合部（１５）に軸芯方向から接当すると同時に、前記固定部材（１２）の穴（１２Ａ）周辺部に軸芯方向から接当するＥリング（弾性部材の一例）から構成されている。前記係合部（１５）は、端部金具（１３）に抜止め部材（１４）を嵌入させる周溝（１６）を形成することによって構成されている 。前記他方の抜止め部材（１４′）は、端部金具（１３）と一体に構成されている。前記穴（１２Ａ）は、差込み状態において端部金具（１３）の軸芯方向に対して直交する方向での移動を接当規制する大きさに構成されている。」（第５頁第１８行〜第６頁第１３行。）
５−エ．「第１１ 図に示す別実施例においては、端部金具（１３）に軸芯方向に適宜間隔を隔てて複数の周溝（１６）・・を形成することにより複数の係合部（１５）・・を形成させ、これら係合部（１５）・・中から両抜止め部材（１４）・（１４′）を係合させるものを選択することにより、端部金具（１３）の固定部材（１２）に対する軸芯方向固定位置を有段階に変更できるようにしてある。」（第９頁第１６行〜第１０頁第３行。）
（４）対比、判断
　本件発明は、「内部にスロットルレバーを回動自在に収容する空間部が形成された把手を散布管の外周の一部に設けた散布機において、当該把手を一対の分割カバーを対向させて結合することにより構成するとともに、この一対の分割カバーのうち一方の分割カバーにスロットルレバーを回動自在に設けた」ことを構成要件の一部としている。
　そこで、この点について、甲第１号証〜甲第５号証を検討する。　
　甲第１号証の図面をも参照して、甲第１号証には、内部にスロットルレバーを回動自在に収容する空間部が形成された握り部（本件発明の「把手」に相当。）を送風管（本件発明の「散布管」に相当。）の外周の一部に設けた散布機ついて記載されているが、当該握り部を一対の分割部材を対向させて結合することにより構成することについては記載がなく、一対の分割部材を対向させて結合することにより構成することを示唆する記載もない。
　甲第２号証の図面をも参照して、甲第２号証には、内部にトリガ部材（本件発明の「スロットルレバー」に相当。）を回動自在に収容する空間部が形成された握り部分（本件発明の「把手」に相当。）を噴管（本件発明の「散布管」に相当。）の外周の一部に設けた散布機ついて記載されており、かつ、当該握り部分を一対の分割部材を対向させて結合することにより構成することが記載されているが、トリガ部材を一対の分割部材のうち一方の分割部材に回動自在に設けることについては記載がなく、一対の分割部材のうち一方の分割部材に回動自在に設けることを示唆する記載もない。
　甲第３号証の図面をも参照して、甲第３号証には、内部にスロットルレバーを回動自在に収容する空間部が形成されたグリップ（本件発明の「把手」に相当。）を操作杆の外周を囲んで設けた刈払機について記載されており、かつ、当該グリップを一対のグリップ片（本件発明の「分割カバー」に相当。）を対向させて結合することにより構成することが記載されているが、スロットルレバーを一対のグリップ片のうち一方のグリップ片に回動自在に設けることについては記載がなく、一対のグリップ片のうち一方のグリップ片に回動自在に設けることを示唆する記載もない。
　甲第４号証の図面をも参照して、甲第４号証には、農業機械の遠隔操作に用いるコントロールケーブルの連結装置について記載されているが、内部にスロットルレバーを回動自在に収容する空間部が形成された把手については記載がなく、内部にスロットルレバーを回動自在に収容する空間部が形成された把手を示唆する記載もない。
　甲第５号証の図面をも参照して、甲第５号証には、レリイズワイヤーのアウターワイヤー端部を板状固定部材に取付ける際、板状固定部材に対する軸芯方向固定位置を有段階に変更できるようにした取付け部が記載されているが、内部にスロットルレバーを回動自在に収容する空間部が形成された把手については記載がなく、内部にスロットルレバーを回動自在に収容する空間部が形成された把手を示唆する記載もない。
　したがって、本件発明の構成要件の一部である、「内部にスロットルレバーを回動自在に収容する空間部が形成された把手を散布管の外周の一部に設けた散布機において、当該把手を一対の分割カバーを対向させて結合することにより構成するとともに、この一対の分割カバーのうち一方の分割カバーにスロットルレバーを回動自在に設けた」点については、甲第１号証〜甲第５号証のいずれにも記載されていない。また、甲第１号証〜甲第５号証に記載されたものから当業者が容易に想起し得たものとも認められない。
　よって、請求項１に係る発明は、甲第１号証〜甲第５号証に基づいて当業者が容易に発明をすることができたものではない。
４．むすび
　以上のとおりであるから、株式会社　共立　による特許異議の申立ての理由及び提出した証拠によっては本件発明についての特許を取り消すことはできない。
　また、他に本件発明についての特許を取り消すべき理由を発見しない。
　したがって、本件発明についての特許は拒絶の査定をしなければならない特許出願に対してされたものではない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年８月４日（２００３．８．４）
【訂正の要旨】
審決（決定）の【理由】欄参照。
（５４）【発明の名称】
散布機のスロットルケーブル支持構造
（５７）【特許請求の範囲】
　【請求項１】　エンジンにより送風機を駆動し、この送風機により発生する風力により散布剤タンク内の散布剤を散布管を介して散布する散布機において、それぞれ一面が開口された一対の分割カバーを対向させて結合することにより内部にスロットルレバーを回動自在に収容する空間部が形成された把手を前記散布管の外周の一部に設け、
一方の前記分割カバーに前記スロットルレバーを回動自在に設け、
前記一方の分割カバーに形成された前記
前記一方の分割カバーに形成された
【発明の詳細な説明】
　【０００１】
　【産業上の利用分野】
　本発明は、散布機のスロットルケーブル支持構造に関する。
　【０００２】
　【従来の技術】
　エンジンにより送風機を駆動し、この送風機により発生する風力により散布剤タンク内の散布剤を散布管を介して散布する散布機において、散布管を把持する手でエンジンの出力を容易に調整することを目的として、例えば、実公昭６１−２７６６８号公報に「薬剤散布機」なる名称で記載されているように、散布管に設けた把手にスロットルレバーを回動自在に設け、このスロットルレバーと前記エンジンのスロットルとをスロットルケーブルで連結するようにした考案がある。
　【０００３】
　このように散布管の把手に設けたスロットルレバーとエンジンとを連結するスロットルケーブルは屈撓自在なアウターケーブルにより被覆して保護する必要がある。一方、アウターケーブルは全長が長くまた屈撓自在に形成するために全長を小さな許容範囲に納めることは至難である。また、アウターケーブルの一端はエンジン側に固定されるため、把手に対するアウターケーブルの他端側の取付位置が変化する。そこで、図４に示すように、把手５０の一部に取付片５１を形成し、スロットルケーブル１２が挿入されたアウターケーブル１６の他端の金具１５を取付片５１に貫通し、金具１５に螺合した複数のナット５２，５３により取付片５１を挾持し、把手５０に対するアウターケーブル１６の位置を調整する場合には、複数のナット５２，５３を弛めて取付片５２，５３に対してアウターケーブル１６の軸方向の位置を調整し、その後で一方のナット５２の位置を調整して取付片５１の一面に当接させ、他方のナット５３を締め付けて両方のナット５２，５３により取付片５１を挾持する方法がある。
　【０００４】
　【発明が解決しようとする課題】
　このような方法による作業は、把手５０を分解して内部を開放し、複数のナット５２，５３を弛めて位置を調整した後に再び締め直さなければならず、作業が大変に面倒である。
　【０００５】
　【課題を解決するための手段】
　本発明は、エンジンにより送風機を駆動し、この送風機により発生する風力により散布剤タンク内の散布剤を散布管を介して散布する散布機において、それぞれ一面が開口された一対の分割カバーを対向させて結合することにより内部にスロットルレバーを回動自在に収容する空間部が形成された把手を前記散布管の外周の一部に設け、
一方の前記分割カバーに前記スロットルレバーを回動自在に設け、
前記一方の分割カバーに形成された前記
前記一方の分割カバーに形成された
　【０００６】
　【作用】
　本発明によれば、分割カバーの内面に形成された挾持部とアウターケーブルの他端側との対向面に形成した溝と突部とを選択的に係止するだけの極めて容易な作業で、把手に対するアウターケーブルの他端側の取付位置を定めることができ、また、分割カバーを結合することにより、分割カバーの内面に形成した挾持部でアウターケーブルを挾持することにより、把手の内部においてアウターケーブルの他端側を固定することができる。
　【０００７】
　【実施例】
　本発明の一実施例を図１及び図２に基づいて説明する。図１において、１は散布機本体（図示せず）の送風口に接続された可撓性の散布管である。この散布管１の外周の一部は互いに螺子２によって結合された半円形の固定部材３，４により挾持され、一方の固定部材３に把手５が保持されている。この把手５は、それぞれ一面が開口された一対の分割カバー６，７を複数の螺子８で結合することにより形成されている。この把手５の内部に形成された空間部９には支軸１０を中心に回動するスロットルレバー１１が設けられている。１２は前述した散布機本体のエンジンのスロットルに一端が固定されたスロットルケーブルで、このスロットルケーブル１２の他端に止着された円形のストッパ１３がスロットルレバー１１に形成された孔１４に嵌合されている。また、スロットルケーブル１２は他端に筒状の金具１５を有する屈撓自在のアウターケーブル１６により被覆されている。
　【０００８】
　次いで、一方の分割カバー６の内面には、Ｕ字形の形状に定められて金具１５の略半周を支える挾持部である複数のリブ１７と、これらのリブ１７の間に位置する複数の溝１８とが前記アウターケーブル１６の長手方向に沿って形成されている。また、他方の分割カバー７の内面には、前記リブ１７とともに前記アウターケーブル１６の前記金具１５を挾持する挾持部である複数のリブ１９がアウターケーブル１６の長手方向に沿って形成されている。さらに、アウターケーブル１６の金具１５の外周には突部である止め輪２０が止着されている。
　【０００９】
　このような構成において、分割カバー６の内面に形成された溝１８の何れかを選択して金具１５の突部２０を係止するだけの極めて容易な作業により、把手５に対するアウターケーブル１６の他端側（金具１５）の取付位置を調整することができる。また、分割カバー６，７を螺子８で結合することにより、分割カバー６，７の内面に形成したリブ１７，１９でアウターケーブル１６の金具１５を挾持することにより、把手５の内部においてアウターケーブル１６の他端側を固定することができる。
　【００１０】
　散布剤を散布する場合には、エンジンを始動させ散布機本体を背負い一方の手で把手５を把持する。そして、把手５を把持する手でスロットルレバー１１を握ると、図１においてスロットルレバー１１が支軸１０を中心に反時計方向に回動してスロットルケーブル１２を左方に引くため、エンジンの出力が高くなり風力が上がる。
　【００１１】
　なお、図３に示すように、アウターケーブル１６の金具１５に複数の突部２１をアウターケーブル１６の長手方向に沿って形成し、これらの突部２１と分割カバー６の溝１８との係止位置を選択するようにしても、金具１５の位置を軸方向に調整することが可能である。この場合、金具１５には複数の突部２１の間に位置する複数の溝２２が形成されるため、これらの溝２２に突部としても機能するリブ１７の端縁を係止させてもよい。また、前記実施例において、アウターケーブル１６の突部２０（図２参照）又は突部２１（図３参照）を係止させる溝１８を一方の分割カバー６に形成したが、このような溝１８は他方の分割カバー７の挾持部１９に形成しても同様の目的を達成することができる。さらに、アウターケーブル１６の金具１５の外周に複数の溝を形成した場合には、これらの溝の何れかに係止される突部を分割カバー６，７の何れか一方に配設してもよい。
　【００１２】
　【発明の効果】
　本発明は、散布機の散布管に設ける把手を形成する一対の分割カバーの内面にスロットルケーブルを被覆するアウターケーブルを挾持する挾持部を形成し、
スロットルレバーが回動自在に設けられた一方の前記分割カバーに形成された前記
前記一方の分割カバーに形成された
【図面の簡単な説明】
　【図１】
　本発明一実施例を示すもので、一部を切欠した側面図である。
　【図２】
　アウターケーブルの他端部近傍の縦断側面図である。
　【図３】
　アウターケーブルの他端部近傍の変形例を示す一部の縦断側面図である。
　【図４】
　従来のアウターケーブルの支持構造を示す縦断側面図である。
　【符号の説明】
　１　　　　　　散布管
　５　　　　　　把手
　６，７　　　　分割カバー
　９　　　　　　空間部
　１１　　　　　スロットルレバー
　１２　　　　　スロットルケーブル
　１６　　　　　アウターケーブル
　１７　　　　　挾持部（リブ）
　１８　　　　　溝
　１９　　　　　挾持部（リブ）
　２０，２１　　突部
　２２　　　　　溝